(57)【要約】【課題】電波の届きにくい場所において受像できなかったテレビ映像を視聴することが可能な移動テレビ受像機を提供する。【解決手段】移動可能に構成された移動テレビ受像機と、移動テレビ受像機との通信を行う通信センターと、通信センターとの通信を行うテレビ録画装置とを有するテレビ受像システムであって、移動テレビ受像機は、テレビ電波の受信電力量が所定の電力量以下である状態が所定の期間に渡って継続した場合、通信センターに録画要求を送信し、通信センターは、録画要求の供給に基づいて、テレビ録画装置にテレビ画像を録画させ、通信センターは、移動テレビ受像機との通信が可能である場合に、テレビ録画装置に録画されたテレビ画像を転送させ、転送されたテレビ画像を移動テレビ受信機に送信し、移動テレビ受信機は、送信されたテレビ画像を表示することを特徴とする。【選択図】図２
2007028475.tif 000002
【特許請求の範囲】
【請求項１】
テレビ受像機と、
前記テレビ受像機との通信を行う通信センターと、
前記通信センターとの通信を行うテレビ録画装置とを有するテレビ受像システムであって、
前記テレビ受像機は、テレビ電波の受信電力量が所定の電力量以下である状態が所定の期間に渡って継続した場合、前記通信センターに録画要求を送信し、
前記通信センターは、前記録画要求の供給に基づいて、前記テレビ録画装置にテレビ画像を録画させ、
前記通信センターは、前記テレビ受像機との通信が可能である場合に、前記テレビ録画装置に録画された前記テレビ画像を転送させ、転送された前記テレビ画像を前記テレビ受信機に送信し、
前記テレビ受信機は、送信された前記テレビ画像を表示することを特徴とするテレビ受像システム。
【請求項２】
テレビ受像機であって、
テレビ電波を受信し、画像信号を出力する受像部と、
前記画像信号の供給を基にテレビ画像を表示する表示部と、
通信センターとの通信を行う通信部とを有し、
前記受像部は、前記テレビ電波の受信電力量が所定の電力量以下である状態が所定の期間に渡って継続した場合、前記通信部に不受像信号を送信し、
前記通信部は、前記受像部からの前記不受像信号の供給に基づいて、前記通信センターに録画要求を送信し、前記通信センターを介してテレビ録画装置にテレビ画像を録画させ、
前記通信部は、前記録画要求の送信の後に、前記通信センターに転送要求を送信し、前記通信センターを介して前記テレビ録画装置に録画された前記テレビ画像の画像信号を転送させ、
前記通信部は、前記テレビ録画装置から転送された前記画像信号を受信し、
前記表示部は転送された前記画像信号に基づいてテレビ画像を表示することを特徴とするテレビ受像機。
【請求項３】
請求項２において、
前記通信部は、前記通信部と前記通信センターとの通信電波の電力量が所定の電力量以上である状態が所定の期間に渡って継続した場合、前記転送要求を送信することを特徴とするテレビ受像機。
【請求項４】
請求項２において、
さらに、制御部と、動作モードを記憶するスタックを有し、
前記スタックは、前記動作モードの切り換わりの際に、切り換わり前の前記動作モードを記憶し、
前記制御部は、前記録画要求の送信の後に、前記スタックから以前の前記動作モードを取り出し、当該動作モードに設定することを特徴とするテレビ受像機。
【請求項５】
テレビ受像機であって、
テレビ電波を受信し、画像信号を出力する受像部と、
前記画像信号の供給を基にテレビ画像を表示する表示部と、
通信センターとの通信を行う通信部とを有し、
前記通信部は、所定の時間ごとに動作モードを前記通信センターに送信し、
所定の時間に渡って前記通信部から前記通信センターへの前記動作モードの供給がない場合で、なおかつ、最後に供給された前記動作モードがテレビ表示である場合、前記通信センターを介してテレビ録画装置にテレビ画像を録画させ、
前記動作モードの受信の再開に基づいて、前記通信センターを介して前記テレビ録画装置に、録画された前記テレビ画像の画像信号を転送させ、
前記通信部は、前記テレビ録画装置から転送された前記画像信号を受信し、
前記表示部は転送された前記画像信号に基づいてテレビ画像を表示することを特徴とするテレビ受像機。
【請求項６】
テレビ電波を受信し、画像信号を出力する受像部と、
前記画像信号の供給を基にテレビ画像を表示する表示部と、
通信センターとの通信を行う通信部を有するテレビ受像機を制御するプログラムであって、
前記受像部を介して、前記テレビ電波の受信電力量が所定の電力量以下である状態が所定の期間に渡って継続した場合、前記通信部に不受像信号を送信させ、
前記通信部を介して、前記受像部からの不受像信号の供給に基づいて、前記通信センターに録画要求を送信させ、前記通信センターを介してテレビ録画装置にテレビ画像を録画させ、
前記通信部を介して、前記録画要求の送信の後に、前記通信センターに転送要求を送信させ、前記通信センターを介して前記テレビ録画装置に録画された前記テレビ画像の画像信号を転送させ、
前記通信部を介して、前記テレビ録画装置から転送された前記画像信号を受信させ、
前記表示部を介して、転送された前記画像信号に基づいてテレビ画像を表示させることを特徴とするプログラム。
【請求項７】
請求項６において、
前記通信部と前記通信センターとの通信電波の電力量が所定の電力量以上である状態が所定の期間に渡って継続した場合、前記通信部を介して前記転送要求を送信させることを特徴とするプログラム。
【請求項８】
請求項６において、
前記テレビ受像機は、さらに、動作モードを記憶するスタックを有し、
前記動作モードの切り換わりの際に、前記スタックに切り換わり前の前記動作モードを記憶させ、
前記録画要求の送信の後に、前記スタックから以前の前記動作モードを取り出させ、当該動作モードに設定させることを特徴とするプログラム。
【請求項９】
テレビ電波を受信し、画像信号を出力する受像部と、
前記画像信号の供給を基にテレビ画像を表示する表示部と、
通信センターとの通信を行う通信部とを有するテレビ受像機を制御するプログラムであって、
前記通信部を介して、所定の時間ごとに動作モードを前記通信センターに送信させ、
所定の時間に渡って前記通信部から前記通信センターへの前記動作モードの供給がない場合で、なおかつ、最後に供給された動作モードがテレビ表示である場合、前記通信センターを介してテレビ録画装置にテレビ画像を録画させ、
前記動作モードの受信の再開に基づいて、前記通信センターを介して前記テレビ録画装置に、録画された前記テレビ画像の画像信号を転送させ、
前記通信部を介して、前記テレビ録画装置から転送された前記画像信号を受信させ、
前記表示部を介して、転送された前記画像信号に基づいてテレビ画像を表示させることを特徴とするプログラム。
【発明の詳細な説明】
【技術分野】
【０００１】
本発明は、テレビ受像機に関し、特に、電波の届きにくい場所において受像できなかったテレビ映像を視聴することを可能にするテレビ受像機に関する。
【背景技術】
【０００２】
特許文献１に記載の技術のように、車両位置周辺の道路地図を表示する機能、出発地から目的地までの推奨経路を演算する機能を備えたカーナビゲーション装置が知られている。カーナビゲーション装置は、演算された推奨経路に基づいて経路誘導を行う機能などを兼ね備えている。
【０００３】
近年、カーナビゲーション装置に、テレビ、CDプレーヤーやDVDプレーヤーなどの付加的な機能を設けることが一般的になっている。
【０００４】
また、カーナビゲーション装置を通じて通信センター内のオペレーターと会話を行い、オペレーターに注文を行うことによって、車の運転に必要な情報などの供給を受けるサービスが提案されている。このようなサービスにおいては、地図、天気、ニュースなどの様々な情報がデータとして提供される。
【特許文献１】特許公開２００２−２０８０９８号公報
【発明の開示】
【発明が解決しようとする課題】
【０００５】
カーナビゲーション装置は車両に搭載されているため、電波の届きにくい場所へ移動することがある。その際に、テレビの受像を行っていた場合、テレビの映像が途切れてしまう。
【０００６】
そこで、本発明の目的は、電波の届きにくい場所において受像できなかったテレビ映像を視聴することが可能な移動テレビ受像機を提供することにある。
【課題を解決するための手段】
【０００７】
上記課題を解決するため、本発明の第一の側面によれば、テレビ受像機と、前記テレビ受像機との通信を行う通信センターと、前記通信センターとの通信を行うテレビ録画装置とを有するテレビ受像システムであって、前記テレビ受像機は、テレビ電波の受信電力量が所定の電力量以下である状態が所定の期間に渡って継続した場合、前記通信センターに録画要求を送信し、前記通信センターは、前記録画要求の供給に基づいて、前記テレビ録画装置にテレビ画像を録画させ、  前記通信センターは、前記テレビ受像機との通信が可能である場合に、前記テレビ録画装置に録画された前記テレビ画像を転送させ、転送された前記テレビ画像を前記テレビ受信機に送信し、前記テレビ受信機は、送信された前記テレビ画像を表示することを特徴とする。
【０００８】
また、本発明の第二の側面によれば、テレビ受像機であって、テレビ電波を受信し、画像信号を出力する受像部と、前記画像信号の供給を基にテレビ画像を表示する表示部と、通信センターとの通信を行う通信部とを有し、前記受像部は、前記テレビ電波の受信電力量が所定の電力量以下である状態が所定の期間に渡って継続した場合、前記通信部に不受像信号を送信し、前記通信部は、前記受像部からの前記不受像信号の供給に基づいて、前記通信センターに録画要求を送信し、前記通信センターを介してテレビ録画装置にテレビ画像を録画させ、前記通信部は、前記録画要求の送信の後に、前記通信センターに転送要求を送信し、前記通信センターを介して前記テレビ録画装置に録画された前記テレビ画像の画像信号を転送させ、前記通信部は、前記テレビ録画装置から転送された前記画像信号を受信し、前記表示部は転送された前記画像信号に基づいてテレビ画像を表示することを特徴とする。
【０００９】
上記発明の第二の側面において、好ましい実施例では、前記通信部は、前記通信部と前記通信センターとの通信電波の電力量が所定の電力量以上である状態が所定の期間に渡って継続した場合、前記転送要求を送信することを特徴とする。
【００１０】
上記発明の第二の側面において、さらに好ましい実施例では、さらに、制御部と、動作モードを記憶するスタックを有し、前記スタックは、前記動作モードの切り換わりの際に、切り換わり前の前記動作モードを記憶し、前記制御部は、前記録画要求の送信の後に、前記スタックから以前の前記動作モードを取り出し、当該動作モードに設定することを特徴とする。
【００１１】
また、本発明の第三の側面によれば、テレビ受像機であって、テレビ電波を受信し、画像信号を出力する受像部と、前記画像信号の供給を基にテレビ画像を表示する表示部と、通信センターとの通信を行う通信部とを有し、前記通信部は、所定の時間ごとに動作モードを前記通信センターに送信し、所定の時間に渡って前記通信部から前記通信センターへの前記動作モードの供給がない場合で、なおかつ、最後に供給された前記動作モードがテレビ表示である場合、前記通信センターを介してテレビ録画装置にテレビ画像を録画させ、前記動作モードの受信の再開に基づいて、前記通信センターを介して前記テレビ録画装置に、録画された前記テレビ画像の画像信号を転送させ、前記通信部は、前記テレビ録画装置から転送された前記画像信号を受信し、前記表示部は転送された前記画像信号に基づいてテレビ画像を表示することを特徴とする。
【００１２】
また、本発明の第四の側面によれば、テレビ電波を受信し、画像信号を出力する受像部と、前記画像信号の供給を基にテレビ画像を表示する表示部と、通信センターとの通信を行う通信部を有するテレビ受像機を制御するプログラムであって、前記受像部を介して、前記テレビ電波の受信電力量が所定の電力量以下である状態が所定の期間に渡って継続した場合、前記通信部に不受像信号を送信させ、  前記通信部を介して、前記受像部からの不受像信号の供給に基づいて、前記通信センターに録画要求を送信させ、前記通信センターを介してテレビ録画装置にテレビ画像を録画させ、前記通信部を介して、前記録画要求の送信の後に、前記通信センターに転送要求を送信させ、前記通信センターを介して前記テレビ録画装置に録画された前記テレビ画像の画像信号を転送させ、前記通信部を介して、前記テレビ録画装置から転送された前記画像信号を受信させ、前記表示部を介して、転送された前記画像信号に基づいてテレビ画像を表示させることを特徴とする。
【００１３】
上記発明の第四の側面において、好ましい実施例では、前記通信部と前記通信センターとの通信電波の電力量が所定の電力量以上である状態が所定の期間に渡って継続した場合、前記通信部を介して前記転送要求を送信させることを特徴とする。
【００１４】
上記発明の第四の側面において、さらに好ましい実施例では、前記テレビ受像機は、さらに、動作モードを記憶するスタックを有し、前記動作モードの切り換わりの際に、前記スタックに切り換わり前の前記動作モードを記憶させ、前記録画要求の送信の後に、前記スタックから以前の前記動作モードを取り出させ、当該動作モードに設定させることを特徴とする。
【００１５】
また、本発明の第五の側面によれば、テレビ電波を受信し、画像信号を出力する受像部と、前記画像信号の供給を基にテレビ画像を表示する表示部と、通信センターとの通信を行う通信部とを有するテレビ受像機を制御するプログラムであって、前記通信部を介して、所定の時間ごとに動作モードを前記通信センターに送信させ、所定の時間に渡って前記通信部から前記通信センターへの前記動作モードの供給がない場合で、なおかつ、最後に供給された動作モードがテレビ表示である場合、前記通信センターを介してテレビ録画装置にテレビ画像を録画させ、  前記動作モードの受信の再開に基づいて、前記通信センターを介して前記テレビ録画装置に、録画された前記テレビ画像の画像信号を転送させ、前記通信部を介して、前記テレビ録画装置から転送された前記画像信号を受信させ、前記表示部を介して、転送された前記画像信号に基づいてテレビ画像を表示させることを特徴とする。
【発明の効果】
【００１６】
本発明の移動テレビ受像機は、テレビ電波の受信が困難になった際に、外部に設置されたテレビ受像機に対して録画要求を送り、録画されたテレビ画像を転送させることにより、受像できなかったテレビ映像を視聴することを可能にする。
【発明を実施するための最良の形態】
【００１７】
以下、図面に従って本発明の実施の形態について説明する。但し、本発明の技術的範囲はこれらの実施の形態に限定されず、特許請求の範囲に記載された事項とその均等物まで及ぶものである。
【００１８】
図１は、本実施の形態における全体構成図である。カーナビゲーション装置１は車両に搭載されており、テレビの受像が可能な本発明の移動テレビ受像機が適用されている。カーナビゲーション装置１のユーザーは、通信センター２と契約を結んでおり、ユーザーはカーナビゲーション装置１を介して、通信センター２から情報の供給を受けることができる。また、パソコン３は、ユーザーが自宅に所有するコンピューターであり、テレビの受像が可能である。カーナビゲーション装置１と、パソコン３はテレビ局４からの電波を受信するが、カーナビゲーション装置１は場所によってテレビ電波を受信できない場合がある。
【００１９】
通信センター２とパソコン３は、インターネットを介して通信可能である。通信センター２には、パソコン３のIPアドレスなどの情報が予め登録されている。また、通信センター２とカーナビゲーション装置１はCDMA2000対応のデータ通信であるDCM（Data  Communication  Module）回線によってデータのやり取りを行うことが可能である。
【００２０】
図２は、本発明の移動テレビ受像機を適用したナビゲーション装置の構成図である。このカーナビゲーション装置１は、ナビゲーション部100、DCM通信部11、CD・DVDデッキ17、及び、テレビ受像部18から構成されている。
【００２１】
ナビゲーション部100は、従来のカーナビゲーション装置としての機能を実現するための部分であり、制御部10、メモリ12、入力部13、表示部14、GPS部15、及び、ハードディスクドライブ（以下HDD）16から構成されている。
【００２２】
ナビゲーション部100は、HDD16に格納された地図情報を基に、GPS(Global Positioning System)信号を受信するGPS部によって生成される現在地情報や、入力部13から入力された目的地情報を、表示部14に表示する。また、ナビゲーション部100だけでなく、カーナビゲーション装置１全体が制御部10によって制御されている。メモリ12には、制御部10によって実行されるプログラムが格納されている。
【００２３】
また、DCM通信部11は、必要な情報の受け渡しのために設けられており、外部に設置された通信センター２との通信を行う。CD・DVDデッキ17は、CDを再生したり、DVD映像を表示部14に表示したりする。テレビ受像部18は、テレビ電波を受信し、表示部14にテレビ番組を表示する。
【００２４】
本発明の移動テレビ受像機が適用されるナビゲーション装置１は、テレビやCDプレーヤー、DVDプレーヤーとしての機能も有し、それらの機能を統合的に管理するものである。尚、これらの構成要素はバスなどで互いに接続されており、信号の交換を行っている。
【００２５】
図３は、本実施の形態における通信センターの構成図である。通信センター２は、本発明の移動テレビ受像機が適用されるカーナビゲーション装置１や、テレビ受像機であるパソコン３との通信を行う。通信センター２は、制御装置20、記憶装置23、DCM通信装置21、及び、インターネット通信装置22から構成されている。制御装置20は、記憶装置23、DCM通信装置21、及び、インターネット通信装置22に接続され、それぞれの装置とのデータの交換が可能である。
【００２６】
インターネット通信装置22は、通常の電話回線もしくは専用回線を用いてインターネットに接続され、テレビ受像機であるパソコン３との通信を行う。また、DCM通信装置21は、本発明の移動テレビ受像機が適用されるカーナビゲーション装置１との通信を行う。
【００２７】
図４は、本実施の形態においてテレビ画像の録画を行うパソコンの構成図である。パソコン３は、カーナビゲーション装置１のユーザーの自宅内に設置され、テレビ録画の機能をもつ。テレビ録画装置の機能を有するパソコン３は、CPU30、HDD33、表示部34テレビ受像部31、及び、モデム32から構成されている。CPU30は、HDD23、表示部34、テレビ受像部31、及び、モデム32に接続され、データの交換が可能である。
【００２８】
モデム32は、通信センター２との通信をインターネットを介して行う。また、テレビ受像部31は、テレビ局からのテレビ電波を受信し、画像信号に変換する。変換された画像信号は、表示部34に表示される。テレビの録画を行う場合には、テレビ受像部が生成した画像信号をHDD33に記憶することにより行われる。
【００２９】
図５は、本発明の適用されたカーナビゲーション装置における録画指示のフローチャートである。本フローチャートは、テレビ受像部18でテレビ番組を受信したことを機に開始する。また、テレビ受信モードを終了することで本フローチャートを終了する。まず、カーナビゲーション装置１を搭載中の車両は移動中であり、カーナビゲーション装置１はテレビ電波を受信し、テレビ番組を表示中であるものとする（ステップS1）。受信中のテレビ電波の状態は常時チェックされ、映像の表示ができるかどうかが確認される（ステップS2）。
【００３０】
車両の移動により、テレビ電波の受信状態が悪くなると、その状態が５秒以上継続するかどうかが確認される（ステップS3）。受信が困難な状態が5秒以上継続しない場合は、通常どおりテレビ番組の表示を継続する。受信が困難な状態が5秒以上継続する場合は、カーナビゲーション装置１は、通信センター２を介して、カーナビゲーション装置１のユーザーの自宅にあるパソコン３に対して録画要求を送信する（ステップS4）。この際、受信電波の電力量の低下を検知したテレビ受像部18は、制御部10を介してDCM通信部11に不受信信号を送る。これを受けてDCM通信部11は、通信センター２を介して、パソコン３に対して録画要求を送信する。
【００３１】
録画要求の送信の後に、カーナビゲーション装置１は、動作モードの切り替えを行う（ステップS5）。ここで動作モードとは、カーナビゲーション装置１の動作状態であり、CD再生中、DVD再生中、テレビ表示中、ナビゲーション中などの動作モードが存在する。動作モードがCD再生中である場合、動作モードは、CDの何曲目が再生中であるかの情報も含む。また、動作モードがテレビ表示中である場合には、どのチャンネルを表示しているかの情報も含む。
【００３２】
この動作モードは、メモリ12の一部であるスタックに格納される。
【００３３】
図６は、動作モードを格納するスタックを示す図である。ここで、スタックには、動作モードT1から動作モードT7までが格納されている。カーナビゲーション装置１に電源が投入された当初の動作モードが動作モードT1であり、ナビゲーション動作を行っていたことを示している。また、現在設定されている動作モードの一つ前の動作モードが、動作モードT7であり８チャンネルのテレビ表示を行っていたことを示している。
【００３４】
録画要求送信後の動作モード切り換えにおいて、まず、スタックから動作モードT7が取り出される。しかし、これはテレビ番組の表示の動作モードであるため、さらに一つ前の動作モードである動作モードT6が取り出される。しかし、これもテレビ番組の表示の動作モードであるため、さらに一つ前の動作モードである動作モードT5が取り出される。動作モードT5は、CDの再生の動作モードであり、２曲目を再生していたことを示している。ステップS5における動作モードの切り換えにおいて、カーナビゲーション装置１の動作モードはCDの再生にセットされ、CDの２曲目から順に再生が行われる。
【００３５】
その後、通信センター２との通信の状態が常時監視され、５秒以上通信可能状態が継続するかどうかがチェックされる（ステップS6）。５秒以上通信可能である状態が確認される場合、現在の動作モードであるCDの再生において、曲の再生が終わったかどうかをチェックする（ステップS7）。曲の再生が終わったタイミングで通信センターとの通信が可能であれば、GPS部15とHDD16に格納される地図情報によって現在位置を確認する（ステップS8）。現在位置の確認によって、トンネルに入る見込みがあるのかどうかや、山間部などの電波状態の悪い地域に行く見込みがあるかどうかをチェックする。
【００３６】
ステップS6、S7、S8の条件を同時に満たした場合、通信センター２を介して、パソコン３に転送要求が送信される（ステップS9）。この際、さらに表示部14にデータ転送の許可を求めるメッセージ表示を行い、入力部13を介してユーザーが許可をした場合に、転送要求の送信を行うようにしてもよい。転送要求に従って、パソコン３からは、現在録画されている番組の画像信号が、通信センター２を介して送信される。この画像信号の受信と同時に、カーナビゲーション装置１は、受信した画像信号を基に番組の再生を行う（ステップS10）。再生が終了したかを判断し（ステップS14）、レジューム再生が終了すると、本処理のステップS1に戻り、本フローを繰り返す。また、再生が終了しなければステップS11へ移行する。
【００３７】
録画された番組の再生中に、ナビゲーション装置１に割り込みが発生する場合がある。ここで、割り込みとは、車両が事故多発地帯などを走行する際に注意を促す表示をするなどの動作にあたる。このような割り込みは常時監視される（ステップS11）。割り込みが発生した場合には、通信センター２を介して、パソコン３に転送中止要求が送信される（ステップS12）。
【００３８】
割り込みの状態は常時監視される（ステップS13）。割り込みが終了した場合には、再び転送要求が通信センター２を介してパソコン３に送信され（ステップS9）、録画された番組の表示が再開される。
【００３９】
パソコン３におけるテレビ番組の録画は、カーナビゲーション装置１から録画中止要求を通信センター２を介して送信することにより、中止することができる。録画中止要求は、カーナビゲーション装置１の入力部13を操作することにより送信することができる。そして録画中止要求は、カーナビゲーション装置１の電源がオフになった際には、自動的に送信される。また、パソコン３からの録画されたテレビ番組の転送は、カーナビゲーション装置１から転送中止要求を通信センター２を介して送信することにより、中止することができる。転送停止要求も、カーナビゲーション装置１の入力部13を操作することにより送信することができる。そして転送中止要求は、カーナビゲーション装置１の電源がオフになった際には、自動的に送信される。
【００４０】
カーナビゲーション装置１から送信される要求は、パソコン３を特定するためのアドレス情報と、要求の内容を示す識別情報を含んでいる。また、録画要求は録画を行うチャンネルの情報も含まれている。
【００４１】
これらの要求が、通信センター２に送信されると、DCM通信装置21で受信され、制御装置20によってアドレス情報に基づいて転送すべき宛先の確認が行われる。そして、インターネット通信装置22を介して、これらの要求は転送すべき宛先へ転送される。また、カーナビゲーション装置１から送信されるパソコン３を特定するためのアドレス情報が、カーナビゲーション装置１自身の識別子である場合は、通信センター２の記憶装置23にデータベースが存在し、カーナビゲーション装置１の識別子がパソコン３のアドレス情報に変換され、アドレス情報に基づいて要求が転送される。
【００４２】
パソコン３において、転送された要求は、モデム32を介して受信される。受信した要求が録画要求である場合は、CPU30は録画要求が指定するチャンネルをテレビ受像部31を介して受信し、画像信号をHDD33に記憶する。転送された要求が、転送要求である場合は、HDD33に記憶される画像信号を通信センター２に対して逐次転送する。転送された要求が、転送中止要求であった場合には、この転送を中止し、録画中止要求であった場合には録画を中止する。
【００４３】
通信センター２において、パソコン３から転送された画像信号はインターネット通信装置22によって受信される。この画像信号を転送すべきカーナビゲーション装置１は、送信元のパソコン３のアドレス情報と、記憶装置23に記憶されるデータベースによって特定される。このデータベースは、カーナビゲーション装置１の識別子とパソコン３のアドレス情報を関連づけて記憶している。
【００４４】
このように本発明の移動テレビ受像機は、外部に設置されたテレビ受像機に対して、録画要求を送り、録画されたテレビ画像を転送させることにより、電波の届きにくい場所において受像できなかったテレビ映像を視聴することを可能にする。
【００４５】
また、テレビ電波が受信しにくい場所においては、通信センター２との通信も行いにくいため、録画要求を送信できない場合がある。この困難を克服するため、録画要求の送信を、通信センター２に任せることも可能である。
【００４６】
図７は、録画要求の送信を通信センターに任せる場合のカーナビゲーション装置のフローチャートである。本フローチャートは、カーナビゲーション装置１の電源投入から開始する。また、テレビモードを終了することで本フローチャートを終了する。カーナビゲーション装置１は、電源の投入以来、30秒ごとに動作モードを通信センター２に送信し続ける。動作モードの送信は、電源がオフになるまで続けられる。テレビ放送を受信し番組を表示すると（ステップU1）、受信状態のチェックが開始される（ステップU2）。５秒以上に渡ってテレビ電波の受信が困難な状況が続けば、動作モードの切り換えが行われる（ステップU3）。以降は図５におけるフローチャートと同様の動作になる。
【００４７】
図８は、録画要求の送信を通信センターに任せる場合の通信センター２の制御部20が行うフローチャートである。制御部20は、DCM通信装置21によりカーナビゲーション装置１から動作モードを受信し続ける（ステップV1）。動作モードは、30秒毎に送信されるが、前の動作モードの受信から40秒以上が経過していないかどうかがチェックされる（ステップV2）。40秒以上が経過している場合、最後に受信した動作モードがチェックされる（ステップV3）。最後に受信した動作モードがテレビ表示であった場合、表示の途中に電波状態が悪くなったと判断され、インターネット通信装置22を介してパソコン３に対して録画要求が送信される（ステップV4）。録画要求の送信以外の動作に関しては、図５におけるフローチャートと同様の動作になる。
【００４８】
このように本発明の移動テレビ受像機は、外部に設置されたテレビ受像機に対して、録画要求を送り、録画されたテレビ画像を転送させることにより、電波の届きにくい場所において受像できなかったテレビ映像を視聴することを可能にする。
【図面の簡単な説明】
【００４９】
【図１】本実施の形態における全体構成図である。
【図２】本発明の移動テレビ受像機を適用したナビゲーション装置の構成図である
【図３】本実施の形態における通信センターの構成図である。
【図４】本実施の形態におけるテレビ録画装置であるパソコンの構成図である。
【図５】本発明の適用されたカーナビゲーション装置における録画指示のフローチャートである。
【図６】動作モードを格納するスタックを示す図である。
【図７】録画要求の送信を通信センターに任せる場合のカーナビゲーション装置のフローチャートである。
【図８】録画要求の送信を通信センターに任せる場合の通信センター２のフローチャートである。
【符号の説明】
【００５０】
1カーナビゲーション装置
10制御部
11DCM通信部
12メモリ
13入力部
14表示部
15GPS部
16HDD
17CD・DVDデッキ
18テレビ受像部
【図１】
2007028475.tif 000003
【図２】
2007028475.tif 000004
【図３】
2007028475.tif 000005
【図４】
2007028475.tif 000006
【図５】
2007028475.tif 000007
【図６】
2007028475.tif 000008
【図７】
2007028475.tif 000009
【図８】
2007028475.tif 000010